(57)【要約】【課題】  コンパクトで低コストの構成にて任意の試験水圧の耐圧試験を行うことができる消防用ホース端末部耐圧試験機を提供する。【解決手段】  ピストンポンプ６と、設定水圧より過大な水圧を逃がす安全弁７と、ホース端末部を接合する接合金具と、ピストンポンプ６から安全弁７を介して接合金具に至る加圧水路の端末を閉塞する閉塞弁と、加圧水路の圧力を測定する圧力計と、ホース端末から所定長さ位置でホースをクランプするホースクランプ部とを備えた消防用ホース端末部耐圧試験機であって、安全弁７に設定水圧を規定するばね３７の圧縮長さを調整するようにねじ機構４０を介してノブ３９にて設定部材３８の位置を調整可能に構成し、所定の複数の試験水圧に応じて設定水圧を調整できるようにした。【選択図】        図４
2005221475.tif 000002
【特許請求の範囲】
【請求項１】
ピストンポンプと、設定水圧より過大な水圧を逃がす安全弁と、ホース端末部を接合する接合金具と、ピストンポンプから安全弁を介して接合金具に至る加圧水路の端末を閉塞する閉塞弁と、加圧水路の圧力を測定する圧力計と、ホース端末から所定長さ位置でホースをクランプするホースクランプ部とを備え、安全弁に設定水圧を規定するばねの圧縮長さを調整する手段を設け、所定の複数の試験水圧に応じて設定水圧を調整できるようにしたことを特徴とする消防用ホース端末部耐圧試験機。
【請求項２】
ばねの圧縮長さを無段階で任意に調整するねじ式調整機構を設けたことを特徴とする請求項１記載の消防用ホース端末部耐圧試験機。
【請求項３】
安全弁における水圧逃がし通路にオリフィスを設けたことを特徴とする請求項１又は２記載の消防用ホース端末部耐圧試験機。
【発明の詳細な説明】
【技術分野】
【０００１】
本発明は消防用ホース端末部耐圧試験機に関し、特に消火栓が設置されている場所でその消防用ホース端末部の耐圧試験を行うための耐圧試験機に関するものである。
【背景技術】
【０００２】
建物内等に設置されている消火栓において、開閉弁に接続する基端側のホース端末部及び放水ノズルを接続する先端側のホース端末部の耐圧試験を行うことが義務化されていることから、消火栓が設置されている場所に移動して耐圧試験を行うことができる耐圧試験機の提供が求められている。なお、耐圧試験における試験水圧は、現在のところ、消火栓の種類や仕様に応じて０．７ＭＰａ、０．９ＭＰａ、１．３ＭＰａ、１．６ＭＰａの４種類が規定されている。
【０００３】
この種の耐圧試験機としては、ホース端末部における接合金具から所定距離の位置をクランプするホースクランプ部と、ホース側の接合金具を接合できる接合金具が配設されるとともに所定の水圧に加圧される加圧水路と、加圧水路に接続されるとともに上記４種類の水圧を超えると水圧を逃がすように構成された４種類の安全弁がそれぞれ配設された加圧水供給通路と、加圧水を供給するポンプと、ポンプと各加圧水供給通路の間に介装された切換弁とを備えたものが知られている。
【０００４】
耐圧試験時には、ホース端末の接合金具を加圧水路の接合金具に接合し、ホース端末部のホースをホースクランプ部でクランプした状態で、この消火栓に規定された試験水圧に応じて切換弁を所望の加圧水供給通路に切り換えた状態でポンプを作動させて所定の試験水圧に加圧し、その水圧に所定時間保持して水の漏出の有無を確認している。
【発明の開示】
【発明が解決しようとする課題】
【０００５】
ところが、上記のような耐圧試験機の構成では、試験水圧毎に安全弁を配設した加圧水供給通路及びその切換弁を設けているので、構成が複雑かつ大型化し、コスト高になるという問題がある。
【０００６】
本発明は、上記従来の問題点に鑑み、コンパクトで低コストの構成にて任意の試験水圧の耐圧試験を行うことができる消防用ホース端末部耐圧試験機を提供することを課題とする。
【課題を解決するための手段】
【０００７】
本発明の消防用ホース端末部耐圧試験機は、ピストンポンプと、設定水圧より過大な水圧を逃がす安全弁と、ホース端末部を接合する接合金具と、ピストンポンプから安全弁を介して接合金具に至る加圧水路の端末を閉塞する閉塞弁と、加圧水路の圧力を測定する圧力計と、ホース端末から所定長さ位置でホースをクランプするホースクランプ部とを備え、安全弁に設定水圧を規定するばねの圧縮長さを調整する手段を設け、所定の複数の試験水圧に応じて設定水圧を調整できるようにしたものである。
【０００８】
この構成によると、安全弁のばねの圧縮長さを調整することで設定水圧を任意に調整することができるので、ポンプから接合金具に至る加圧水路に単一の安全弁を配設するだけで、任意の試験水圧で耐圧試験を行うことができ、簡単かつコンパクトで、低コストにて任意の試験水圧の耐圧試験を行うことができる耐圧試験機を提供することができる。
【０００９】
また、ばねの圧縮長さを調整するのに、設定水圧に対応する長さの圧縮量設定部品を交換可能に挿入するようにしても良いが、ばねの圧縮長さを無段階で任意に調整するねじ式調整機構を設けると、ねじ調整によって所望の設定水圧に任意に設定することができて使い勝手が良く、かつ設定水圧を圧力計で確認しながら微調整することができて、精度の良い圧力設定ができる。
【００１０】
また、安全弁における水圧逃がし通路にオリフィスを設けると、水圧を上昇させて所定の設定水圧近傍に達したときに発生する振動を防止することができる。すなわち、被試験体であるホースは弾性体から成る蓄圧体として作用するため、水圧逃がし通路の通路断面積が大きいと、過大水圧となってばねの付勢力に抗して弁が開き、水圧逃がし通路を通って水が放出される際に弁近傍の水が一気に放出され、そのため弁近傍の圧力が低下して弁が閉じ、弁が閉じると弾性蓄圧体内の圧力が伝播して再び過大水圧となり、ばねの付勢力に抗して弁が開くという動作を繰り返すことによって振動が発生することになるが、水圧逃がし通路に流路断面積の小さいオリフィスを設けることで弁の上昇量が抑制され、水の流出が抑制されることで、振動の発生を防止することができる。なお、オリフィス径としては、弁口径の５分の１〜１０分の１程度に設定することで、上記効果が確実に得られて好適である。
【発明の効果】
【００１１】
本発明によれば、安全弁のばねの圧縮長さを調整することで設定水圧を任意に調整することができるので、単一の安全弁を設けるだけで任意の試験水圧で耐圧試験を行うことができ、任意の試験水圧の耐圧試験を行うことができるコンパクトで低コストの耐圧試験機を提供できる。
【発明を実施するための最良の形態】
【００１２】
以下、本発明の消防用ホース端末部耐圧試験機の一実施形態について、図１〜図１０を参照して詳細に説明する。
【００１３】
図１〜図３において、１は消防用ホース端末部耐圧試験機であって、任意の場所に容易に移動できるようにキャスタ３とハンドル４を有する搬送台車２上に搭載されている。なお、搬送台車２に代えて手提げカバンや、背負いザック等に収納して持ち運びできるようにしても良い。この搬送台車２上の方形のベース枠５上に、ピストンポンプ６と、設定水圧より過大な水圧を逃がす安全弁７と、圧力保持用の開閉弁８と、圧力計１０を設置したゲージブロック９と、ホース端末部を接合するオスとメスの接合金具１１、１２を装着するアタッチメントブロック１３と、ピストンポンプ６から安全弁７、ゲージブロック９を介してアタッチメントブロック１３の間にわたって連通して形成されている加圧水路１５の端末を閉塞する閉塞弁１４とが配設されている。
【００１４】
また、着脱部品として、ホース径に対応した接合金具１１、１２の交換品と、ホース端末から所定長さ位置でホースをクランプするためのホースクランプ部１６と、ホースクランプ部１６の付属部品であるピンチロッド１７と、ホースクランプ部１６を支持する４本のスタンドパイプ１８と、給水用チューブ１９と、その吸水端に装着されたフィルタ２０と、安全弁７及び閉塞弁１４からの排水用チューブ２１、２２と、ピストンポンプ６を操作するポンプハンドル２３などを備えており、これらをベース板枠５上に搭載した状態でベース板枠５上にケースボックス２４を被せて移動できるように構成されている。また、必要に応じて水タンク２５を備えることができる。
【００１５】
ピストンポンプ６は、図４に詳細に示すように、シリンダ状のポンプボディ２６にピストン２７が上下摺動自在に挿嵌されるとともにポンプハンドル２３を上下操作することで上下に駆動されるように構成され、ポンプボディ２６の下端部がポンプブロック２８の一端部上面に嵌合固定されている。ポンプブロック２８には、ポンプボディ２６の下端に吸入側の逆止弁２９を介して連通するように吸入通路３０が形成されている。また、逆止弁２９とポンプボディ２６の下端との間からポンプブロック２８の他端側に向けて吐出通路３１が延出され、その他端に上向きに吐出側の逆止弁３２が設けられている。吸入通路３０にはコネクタ３３を介して給水用チューブ１９が接続され、水タンク２５から吸水するように構成されている。
【００１６】
ポンプブロック２８の他端部に配設された逆止弁３２の上部には、安全弁７が配設されている。安全弁７は、弁筒３４の下端部に弁座３５が嵌合固定され、弁座３５上に上下移動自在に弁体３６が配設されている。弁筒３４内には、弁体３６を弁座３５に向けて押圧するばね３７が収容されるとともに、このばね３７の圧縮長さを設定できるように弁筒３４の上部に設定部材３８が上下摺動自在に嵌合され、かつこの設定部材３８の上下位置を調整するノブ３９がねじ機構４０を介して弁筒３４の上部に装着されている。弁座３５の上部空間に連通して弁筒３４に逃がし口４１が形成され、この逃がし口４１にコネクタ４２を介して排水用チューブ２１が接続されている。また、弁座３５には弁体３６にて開閉される弁ポート４３を有するとともにその下部にオリフィス４４が形成され、過圧逃がし水の流量をこのオリフィス４４にて絞るように構成されている。
【００１７】
ポンプブロック２８の他端部には、逆止弁３２と弁座３５の間に連通させて吐出口４５が形成され、この吐出口４５は接続部材４６を介して図３に示すように開閉弁８に接続されている。また、開閉弁８は圧力計１０を装着したゲージブロック９に接続され、ゲージブロック９は圧力パイプ４７を介してアタッチメントブロック１３の一端部に接続されている。アタッチメントブロック１３の他端部は接続部材４８を介して閉塞弁１４に接続され、閉塞弁１４の出口にコネクタ４９を介して排水用チューブ２２が接続されている。
【００１８】
図１において、被検査体である消防用ホース５０の先端側端末部５１の接合金具５１ａと基端側端末部５２の接合金具５２ａがそれぞれ接合金具１１、１２に接合され、かつこれら両端末部５１、５２は接合金具５１ａ、５２ａから、例えば２０ｃｍ程度の所定距離の位置でホースクランプ部１６にてクランプされる。かくして、図５に示すように、ピストンポンプ６から逆止弁３２、安全弁７、開閉弁８を介してこれらの端末部５１、５２に所定の水圧を印加し、これらの端末部５１、５２の耐圧試験を行うことができる。
【００１９】
ホースクランプ部１６は、図１、及び図６、図７に示すように、長方形状の枠体６０に、端末部５１、５２に対応してそれぞれ、固定側の挟圧ローラ６１と加圧側の挟圧ローラ６２が並列して配設され、加圧側の挟圧ローラ６２はそれぞれ一対の押し付けハンドル６３の回転操作によって固定側の挟圧ローラ６１に向けて加圧できるように構成されている。そして、図１及び図６に示すように、消防用ホース５０の端末部５１、５２の近傍を倒立Ｕ字状に折り曲げて、一対の挟圧ローラ６１、６２間に下方から挿通し、その折り返し部内にピンチロッド１７を挿入した状態で、端末部５１、５２を下方に引っ張って接合金具５１ａ、５２ａを接合金具１１、１２に接合し、挟圧ローラ６１、６２にてホースを挟圧することによって端末部５１、５２を所定長さでクランプすることができ、かつ端末部５１、５２に所定の試験水圧に応じた水圧が負荷された場合でもホースを完全に密閉した状態でクランプすることができる。
【００２０】
なお、ホースクランプ部１６は、消防用ホース５０の端末部５１、５２が水の導入によって扁平状態から丸く膨らむことによって下方に変位し、また試験水圧が印加されると端末部５１、５２に伸びが発生して上方に変位し、また端末部５１、５２のクランプ位置と状態によっては傾き変位を生じることがあり、これらの変位を拘束すると端末部５１、５２に局部的に過大な応力が作用する恐れがあるので、ホースクランプ部１６とそれを支持するスタンドパイプ１８とは、図７、図８に示すように、ホースクランプ部１６の上下変位及び傾きを許容するフローティング連結部６４を介して連結するのが好適である。
【００２１】
フローティング連結部６４は、例えば、図８に示すように、連結筒体６５内に球面軸受部材６６を上下摺動自在に配置するとともに圧縮ばね６７にて下方に移動付勢し、球面軸受部材６６の下部は弾性的に圧入可能に切り目６８を設け、スタンドパイプ１８の上端部に球面軸受部材６６内に圧入嵌合可能な球軸部６９を設けた構成とすることができる。この構成によれば、ホースクランプ部１６の下方変位は圧縮ばね６７の収縮によって吸収され、上方変位はスタンドパイプ１８のベース枠５からの浮き上がりによって吸収され、傾き変位は球面軸構成によって吸収することができる。
【００２２】
以上の構成の消防用ホース端末部耐圧試験機１によって消火栓の消防用ホース５０の端末部５１、５２の耐圧試験を行う場合には、この耐圧試験機１を搬送台車２にて消火栓の近傍に移動して設置し、水タンク２５に水を収容し、給水用チューブ１９及び排水用チューブ２１、２２の先端をこの水タンク２５に挿入する。
【００２３】
また、その消防用ホース５０の仕様に応じて、安全弁７のノブ３９を回転操作してその位置調整を行うことで、耐圧試験における設定水圧の調整を行う。ノブ３９の調整位置は、予め接合金具１１、１２の開口を適宜の閉塞部材等で閉じ、閉塞弁１４を閉じた状態でピストンポンプ６を操作して加圧水路１５の水圧を上昇させ、圧力計１０を検針しながら安全弁７のノブ３９の位置を調整することで、圧力計１０で所定の各試験水圧となるノブ３９の位置にそれぞれ目印を付けておくことにより、ノブ３９をこの目印に合わせるだけで調整できる。
【００２４】
そして、消防用ホース５０の端末部５１、５２をホースクランプ部１６でクランプするとともに、接合金具５１ａ、５２ａを接合金具１１、１２にそれぞれ接合し、開閉弁８を開き、閉塞弁１４を閉じてピストンポンプ６を操作し、加圧水路１５を介して端末部５１、５２に所定の試験水圧を印加する。試験水圧に達すると、圧力計１０によって確認した後開閉弁８を閉じて所定時間圧力を保持し、端末部５１、５２からの漏水を検査する。
【００２５】
なお、保持時間中に圧力が低下した場合には、ピストンポンプ６を作動して開閉弁８を開くことで、圧力を上昇させる。また、ピストンポンプ６を作動しても設定水圧に達しない場合には、圧力計１０を見ながら安全弁７のノブ３９の位置を微調整することで、所定の試験水圧を確保するようにすれば良い。
【００２６】
以上の本実施形態によれば、安全弁７のばね３７の圧縮長さを調整することで設定水圧を任意に調整するようにしたので、ピストンポンプ６から接合金具１１、１２に至る加圧水路１５に単一の安全弁７を配設するだけで、任意の試験水圧で耐圧試験を行うことができ、従って従来のように試験水圧毎に安全弁と給水通路とその切換弁を設ける必要がないので、簡単かつコンパクトで、低コストの耐圧試験機１を得ることができる。
【００２７】
また、ばね３７の圧縮長さを調整するのに、ねじ機構４０を介してノブ３９にて設定部材３８の位置を調整することで無段階で任意に調整できるため、使い勝手が良くかつ設定水圧を圧力計１０で確認しながら微調整することができ、精度の良い圧力設定ができる。      
【００２８】
また、安全弁７における水圧逃がし通路にオリフィス４４を設けているので、設定水圧近傍に達したときにも、逃がし水量が制限されるため弁体３６の上昇量が抑制され、水の流出が抑制されることで、消防用ホース５０の端末部５１、５２が弾性蓄圧体として機能しても、弁体３６の開閉による圧力の急減、上昇の繰り返しによって振動が発生するのを確実に防止することができる。
【００２９】
以上の説明では、消防用ホース５０の端末部５１、５２内に加圧水を導入して所定水圧を印加する例を示したが、図９に示すように、端末部５１、５２内に適当な形状及び容積の挿入体７０を予め挿入配置した状態でその接合金具５１ａ、５１ｂを接合金具１１、１２に接合し、その状態で加圧水を導入すると、挿入体７０の容積分だけ端末部５１、５２内に導入する水量を低減でき、ピストンポンプ６からの給水量を低減できるので、給水時間を短縮できて、検査の能率を向上することができる。なお、挿入体７０は耐圧強度のある固体材料にて構成しても良いが、薄い袋状体内に水などの液体が充填されたものでも良い。
【００３０】
また、各構成部品間を接続する圧力パイプ４７や、接続部材４６、４８などの継手部の構造として、ねじ込み方式で固定的に結合した例を示したが、外力や内圧によって構成部品が動く恐れがある場合には、そのシール部が緩んで水洩れが発生する恐れがある。そのような場合には、図１０に示すように、構成部品７１、７２の接続口７１ａ、７２ａに接続パイプ７３の両端部を挿入するとともに、その外周面と接続口７１、７２の内周面との間に圧縮状態でシール材７４を介装したシール構造を採用するのが好適である。
【産業上の利用可能性】
【００３１】
本発明の消防ホース端末部耐圧試験機は、単一の安全弁のばねの圧縮長さを調整することで任意の試験水圧で耐圧試験を行うことができ、コンパクトで低コストの構成にて任意の試験水圧の耐圧試験を行うことができ、建物内などに設置されている消火栓のホース端末部の耐圧試験を行う耐圧試験機等に有用である。
【図面の簡単な説明】
【００３２】
【図１】本発明の消防用ホース端末部耐圧試験機の一実施形態の正面図である。
【図２】同実施形態の耐圧試験機の移動時の側面図である。
【図３】同実施形態の耐圧試験機の要部の平面図である。
【図４】同実施形態の耐圧試験機のピストンポンプと安全弁の周辺部の縦断面図である。
【図５】同実施形態の耐圧試験機の加圧水路の模式説明図である。
【図６】同実施形態の耐圧試験機のホースクランプ部の説明図である。
【図７】同実施形態の耐圧試験機のホースクランプ部の支持機構の斜視図である。
【図８】図７のＡ部の構成を示す断面図である。
【図９】同実施形態の耐圧試験機の他の使用形態を示す要部の縦断面図である。
【図１０】同実施形態の耐圧試験機の構成部品間の接続パイプの他の継手部構成を示す断面図である。
【符号の説明】
【００３３】
１  消防用ホース端末部耐圧試験機
６  ピストンポンプ
７  安全弁
１０  圧力計
１１、１２  接合金具
１４  閉塞弁
１５  加圧水路
１６  ホースクランプ部
３７  ばね
３８  設定部材
３９  ノブ
４０  ねじ機構
４４  オリフィス
５０  消防用ホース
５１、５２  端末部
【図１】
2005221475.tif 000003
【図２】
2005221475.tif 000004
【図３】
2005221475.tif 000005
【図４】
2005221475.tif 000006
【図５】
2005221475.tif 000007
【図６】
2005221475.tif 000008
【図７】
2005221475.tif 000009
【図８】
2005221475.tif 000010
【図９】
2005221475.tif 000011
【図１０】
2005221475.tif 000012